(57)【要約】【課題】操作を煩雑化することなく、書類（原稿）を介した機密情報の漏洩を抑制する。【解決手段】読み取り装置５０の第１のプラテンガラス５２Ａ上に原稿３００およびＩＤカード４００がセットされ、これら原稿３００およびＩＤカード４００の画像を１回のスキャンで読み取る。次いで、原稿３００の読み取り結果から文書ＩＤを、ＩＤカード４００の読み取り結果からカードＩＤを、それぞれ抽出する。得られた文書ＩＤおよびカードＩＤを対応付けて問い合わせを行い、原稿３００を読み取って得られた文書画像データの出力が許可されているか否かを判断する。カードＩＤに対してこの文書ＩＤに対応する文書画像データの出力が許可されている場合は文書画像データをプリンタに出力してから消去し、許可されていない場合は文書画像をプリンタに出力することなくそのまま消去する。【選択図】図７
2008060701.tif 000002
【特許請求の範囲】
【請求項１】
原稿台に置かれた、識別情報が表示された原稿および利用者情報が表示された媒体の画像を読み取る読み取り手段と、
前記読み取り手段にて読み取られた前記原稿の画像データから前記識別情報を取得する第１の取得手段と、
前記読み取り手段にて読み取られた前記媒体の画像データから前記利用者情報を取得する第２の取得手段と、
前記利用者情報が前記識別情報に対応する前記原稿の複製権を有しない場合に前記原稿の画像データの出力を禁止する禁止手段と
を含む画像読み取り装置。
【請求項２】
前記利用者情報が前記識別情報に対応する前記原稿の複製権を有する場合に前記原稿の画像データの出力を許可する許可手段と
をさらに含むことを特徴とする請求項１記載の画像読み取り装置。
【請求項３】
前記禁止手段は、前記第１の取得手段が前記識別情報を取得できない場合および前記第２の取得手段が前記利用者情報を取得できない場合に前記原稿の画像データの出力を禁止することを特徴とする請求項１記載の画像読み取り装置。
【請求項４】
前記第２の取得手段は、前記媒体の画像データから複数の利用者情報を取得した後に当該複数の利用者情報の照合を行い、
前記禁止手段は、前記第２の取得手段による照合結果が一致しない場合に前記原稿の画像データの出力を禁止することを特徴とする請求項１記載の画像読み取り装置。
【請求項５】
前記第２の取得手段は、前記媒体に内蔵されたＩＣチップから他の利用者情報を取得した後に前記利用者情報と当該他の利用者情報との照合を行い、
前記禁止手段は、前記第２の取得手段による照合結果が一致しない場合に前記原稿の画像データの出力を禁止することを特徴とする請求項１記載の画像読み取り装置。
【請求項６】
識別情報が表示された原稿および利用者情報が表示された媒体を１回のスキャンで読み取って得られた画像データを、原稿の画像データと媒体の画像データとに分離する分離手段と、
前記分離手段にて分離された前記原稿の画像データを記憶する記憶手段と、
前記分離手段にて分離された前記原稿の画像データから前記識別情報を取得する第１の取得手段と、
前記分離手段にて分離された前記媒体の画像データから前記利用者情報を取得する第２の取得手段と、
取得された前記識別情報および前記利用者情報に基づいて前記原稿に対する複製権の有無を判定する判定手段と、
前記判定手段にて前記複製権があると判定された場合に前記記憶手段から前記原稿の画像データを出力させる出力制御手段と
を含む画像処理装置。
【請求項７】
前記出力制御手段は、前記原稿の画像データを出力させた後に前記記憶手段に記憶される当該原稿の画像データを消去することを特徴とする請求項６記載の画像処理装置。
【請求項８】
前記出力制御手段は、前記判定手段にて前記複製権がないと判定された場合に前記記憶手段に記憶される前記原稿の画像データを出力させないことを特徴とする請求項６記載の画像処理装置。
【請求項９】
前記出力制御手段は、前記原稿の画像データを出力させない場合に前記記憶手段に記憶される前記原稿の画像データを消去することを特徴とする請求項８記載の画像処理装置。
【請求項１０】
前記分離手段にて分離された前記原稿の画像データにスキュー補正を施して前記第１の取得手段に出力する第１のスキュー補正手段と、
前記分離手段にて分離された前記媒体の画像データにスキュー補正を施して前記第２の取得手段に出力する第２のスキュー補正手段と
をさらに含むことを特徴とする請求項６記載の画像処理装置。
【請求項１１】
原稿台に置かれた、識別情報が表示された原稿および利用者情報が表示された媒体の画像を読み取るスキャナと、
前記スキャナによる前記原稿および前記媒体の読み取り結果から得られた前記識別情報および前記利用者情報に基づき、当該原稿の複製の出力可否を判断する判断部と、
前記判断部にて前記原稿の複製の出力が許可される場合に前記スキャナによる当該原稿の読み取り結果に基づいて記録材に画像を形成するプリンタと
を含む複写装置。
【請求項１２】
前記プリンタは、前記判断部にて前記原稿の複製の出力が許可されない場合に前記記録材に画像を形成しないことを特徴とする請求項１１記載の複写装置。
【請求項１３】
コンピュータに、
識別情報が表示された原稿および利用者情報が表示された媒体を１回のスキャンで読み取って得られた画像データを、原稿の画像データと媒体の画像データとに分離する機能と、
分離された前記原稿の画像データから前記識別情報を取得する機能と、
分離された前記媒体の画像データから前記利用者情報を取得する機能と、
取得された前記識別情報および前記利用者情報に基づいて前記原稿に対する複製権の有無を判定する機能と、
前記複製権があると判定された場合に前記原稿の画像データを出力させる機能と
を実現させるプログラム。
【請求項１４】
コンピュータに、
前記複製権がないと判定された場合に前記原稿の画像データを出力させない機能と
をさらに実現させることを特徴とする請求項１３記載のプログラム。
【発明の詳細な説明】
【技術分野】
【０００１】
本発明は、原稿の画像を読み取る画像読み取り装置、読み取られた画像データに処理を施す画像処理装置、複写装置、およびプログラムに関する。
【背景技術】
【０００２】
近年、書類を介した情報漏洩を防止するために、種々の技術が提案されてきている。例えば、機密書類に予め特定情報を付加しておくとともにこの特定情報とユーザが設定したパスワードとを対応付けて記憶しておき、この機密書類に対する複写要求があった際、この機密書類の読み取り結果から特定情報を取得した後、ユーザに対してパスワードの入力を要求し、入力されたパスワードがこの機密書類の特定情報に対応付けて記憶されるパスワードと一致した場合に、この機密書類の複製物（コピー）を出力する技術が提案されている。（例えば、特許文献１参照。）
【０００３】
【特許文献１】特開２００４−９６２２９号公報
【発明の開示】
【発明が解決しようとする課題】
【０００４】
しかしながら、ユーザがパスワードを忘れてしまった場合には、機密書類の複写が実質的に不可能となってしまう。また、ユーザがパスワードを忘れないためにメモしていた場合には、このメモを介してパスワードが漏れ、結果として機密書類の不正複写を禁止できなくなってしまうおそれがある。
【０００５】
本発明は、以上の技術を背景としてなされたものであり、その目的とするところは、操作を煩雑化することなく、書類（原稿）を介した機密情報の漏洩を抑制することにある。
【課題を解決するための手段】
【０００６】
かかる目的のもと、本発明が適用される画像読み取り装置は、原稿台に置かれた、識別情報が表示された原稿および利用者情報が表示された媒体の画像を読み取る読み取り手段と、読み取り手段にて読み取られた原稿の画像データから識別情報を取得する第１の取得手段と、読み取り手段にて読み取られた媒体の画像データから利用者情報を取得する第２の取得手段と、利用者情報が識別情報に対応する原稿の複製権を有しない場合に原稿の画像データの出力を禁止する禁止手段とを含んでいる。
【０００７】
このような原稿読み取り装置において、利用者情報が識別情報に対応する原稿の複製権を有する場合に原稿の画像データの出力を許可する許可手段をさらに含むことができる。また、禁止手段は、第１の取得手段が識別情報を取得できない場合および第２の取得手段が利用者情報を取得できない場合に原稿の画像データの出力を禁止することができる。さらに、第２の取得手段は、媒体の画像データから複数の利用者情報を取得した後に複数の利用者情報の照合を行い、禁止手段は、第２の取得手段による照合結果が一致しない場合に原稿の画像データの出力を禁止することができる。さらにまた、第２の取得手段は、媒体に内蔵されたＩＣチップから他の利用者情報を取得した後に利用者情報と他の利用者情報との照合を行い、禁止手段は、第２の取得手段による照合結果が一致しない場合に原稿の画像データの出力を禁止することができる。
【０００８】
また、他の観点から捉えると、本発明が適用される画像処理装置は、識別情報が表示された原稿および利用者情報が表示された媒体を１回のスキャンで読み取って得られた画像データを、原稿の画像データと媒体の画像データとに分離する分離手段と、分離手段にて分離された原稿の画像データを記憶する記憶手段と、分離手段にて分離された原稿の画像データから識別情報を取得する第１の取得手段と、分離手段にて分離された媒体の画像データから利用者情報を取得する第２の取得手段と、取得された識別情報および利用者情報に基づいて原稿に対する複製権の有無を判定する判定手段と、判定手段にて複製権があると判定された場合に記憶手段から原稿の画像データを出力させる出力制御手段とを含んでいる。
【０００９】
このような画像処理装置において、出力制御手段は、原稿の画像データを出力させた後に記憶手段に記憶される原稿の画像データを消去することができる。また、出力制御手段は、判定手段にて複製権がないと判定された場合に記憶手段に記憶される原稿の画像データを出力させないことができる。さらに、出力制御手段は、原稿の画像データを出力させない場合に記憶手段に記憶される原稿の画像データを消去することができる。また、分離手段にて分離された原稿の画像データにスキュー補正を施して第１の取得手段に出力する第１のスキュー補正手段と、分離手段にて分離された媒体の画像データにスキュー補正を施して第２の取得手段に出力する第２のスキュー補正手段とをさらに含むことができる。
【００１０】
さらに、他の観点から捉えると、本発明が適用される複写装置は、原稿台に置かれた、識別情報が表示された原稿および利用者情報が表示された媒体の画像を読み取るスキャナと、スキャナによる原稿および媒体の読み取り結果から得られた識別情報および利用者情報に基づき、原稿の複製の出力可否を判断する判断部と、判断部にて原稿の複製の出力が許可される場合にスキャナによる原稿の読み取り結果に基づいて記録材に画像を形成するプリンタとを含んでいる。
このような複写装置では、プリンタは、判断部にて原稿の複製の出力が許可されない場合に記録材に画像を形成しないことを特徴とすることができる。
【００１１】
また、本発明は、コンピュータに、識別情報が表示された原稿および利用者情報が表示された媒体を１回のスキャンで読み取って得られた画像データを、原稿の画像データと媒体の画像データとに分離する機能と、分離された原稿の画像データから識別情報を取得する機能と、分離された媒体の画像データから利用者情報を取得する機能と、取得された識別情報および利用者情報に基づいて原稿に対する複製権の有無を判定する機能と、複製権があると判定された場合に原稿の画像データを出力させる機能とを実現させるプログラムとして把握することができる。
そして、コンピュータに、複製権がないと判定された場合に原稿の画像データを出力させない機能をさらに実現させることを特徴とすることができる。
【発明の効果】
【００１２】
請求項１記載の発明によれば、操作を煩雑化することなく、原稿（書類）を介した機密情報の漏洩を抑制することができる。
請求項２記載の発明によれば、必要に応じて原稿の複写物の出力を行うことが可能になる。
請求項３記載の発明によれば、原稿の識別情報や媒体の利用者情報が取得できない場合にも、原稿を介した機密情報の漏洩をより確実に抑制することができる。
請求項４記載の発明によれば、媒体から得た複数の利用者情報の照合結果が一致しない場合にも、原稿を介した機密情報の漏洩をより確実に抑制することができる。
請求項５記載の発明によれば、媒体から得た利用者情報および他の利用者情報が一致しない場合にも、原稿を介した機密情報の漏洩をより確実に抑制することができる。
請求項６記載の発明によれば、操作を煩雑化することなく、原稿（書類）を介した機密情報の漏洩を抑制することができる。
請求項７記載の発明によれば、原稿の画像データが後で利用されるのを防止することが可能になる。
請求項８記載の発明によれば、必要に応じて原稿の複写物の出力を禁止することが可能になる。
請求項９記載の発明によれば、原稿の画像データが後で利用されるのを防止することが可能になる。
請求項１０記載の発明によれば、１回のスキャンで得られた原稿の画像データおよび媒体の画像データに対し個別にスキュー補正を施すことが可能になる。
請求項１１記載の発明によれば、操作を煩雑化することなく、原稿（書類）を介した機密情報の漏洩を抑制することができる。
請求項１２記載の発明によれば、必要に応じて原稿の複写物の出力を禁止することが可能になる。
請求項１３記載の発明によれば、操作を煩雑化することなく、原稿（書類）を介した機密情報の漏洩を抑制することができる。
請求項１４記載の発明によれば、必要に応じて原稿の複写物の出力を禁止することが可能になる。
【発明を実施するための最良の形態】
【００１３】
以下、添付図面を参照して、本発明を実施するための最良の形態（以下、実施の形態という）について詳細に説明する。
＜実施の形態１＞
図１は本実施の形態が適用される複写機１を示している。複写装置としての複写機１は、原稿の画像を読み取るスキャナ２と、スキャナ２にて読み取られた画像を用紙上に形成するプリンタ３とを備えている。ここで、画像読み取り装置として機能するスキャナ２はプリンタ３の上部に配設されており、スキャナ２の手前側には、ユーザから複写動作等の指示を受け付け、且つ、ユーザにメッセージの表示等を行うユーザインタフェース（User Interface：ＵＩ）４が設けられている。なお、この複写機１では、スキャナ２を単体のスキャナ装置として動作させることが可能であり、プリンタ３を単体のプリンタ装置として動作させることも可能である。また、必要に応じて、スキャナ２およびプリンタ３を利用したファクシミリ装置として動作させることも可能となっている。
【００１４】
図２は、上述したスキャナ２の構成例を示す図である。この画像読み取り装置では、固定された原稿の画像を読み取ることが可能であるとともに、搬送される原稿の画像を読み取ることも可能である。そして、このスキャナ２は、積載された原稿束から原稿を順次搬送する原稿送り装置１０と、スキャンによって原稿の画像を読み込む読み取り装置５０とを備えている。ここで、原稿送り装置１０は、図中奥側で読み取り装置５０に対してヒンジ等を用いて取り付けられている。したがって原稿送り装置１０は、読み取り装置５０に対し図中奥側を支点として開閉自在に装着される。
【００１５】
原稿送り装置１０は、複数枚の原稿からなる原稿束を積載する原稿トレイ１１、この原稿トレイ１１の下方に設けられ、読み取りが終了した原稿を積載する排紙トレイ１２を備える。また、原稿送り装置１０は原稿トレイ１１の原稿を取り出して搬送する取り出しロール１３を備える。さらに、取り出しロール１３の原稿搬送方向下流側には、一対のロール部材を用いて用紙を一枚ずつに捌く捌き機構１４が設けられる。最初に原稿が搬送される第１搬送路３１には、原稿搬送方向上流側から順に、プレレジロール１５、レジロール１６、裏当てロール１７、およびアウトロール１８が設けられる。プレレジロール１５は、一枚ずつに捌かれた原稿を下流側のロールに向けて搬送すると共に原稿のループ形成を行う。レジロール１６は、回転し一旦停止した後にタイミングを合わせて回転を再開し、後述する原稿読み取り部に対してレジストレーション調整を施しながら原稿を供給する。裏当てロール１７は、読み取り装置５０にて読み込み中の原稿搬送をアシストし、且つ、原稿を第２プラテンガラス５２Ｂ（後述）に押し付けることにより、読み取り位置における原稿の高さをほぼ一定に維持させる。アウトロール１８は、読み取り装置５０にて読み込まれた原稿をさらに下流に搬送する。
また、アウトロール１８よりも原稿搬送方向下流側には、原稿を排紙トレイ１２に導くための第２搬送路３２が設けられる。この第２搬送路３２には、排出ロール１９が配設される。
そして、排紙トレイ１２の下面には裏当て部材２０が取り付けられている。この裏当て部材２０は、後述する固定読み取りモードにおいて、読み取り装置５０に設けられた第１プラテンガラス５２Ａ（後述）に原稿を押し付けるために用いられる。
【００１６】
さらに、このスキャナ２では、原稿の両面に形成された画像を１プロセスで読み取ることができるよう、アウトロール１８の出口側とプレレジロール１５の入口側との間に第３搬送路３３が設けられている。なお、上述した排出ロール１９は、第２搬送路３２に搬入された原稿を第３搬送路３３に反転搬送する機能も有している。
さらにまた、このスキャナ２には、原稿の両面読み取りを行った際に、その排出時に原稿を再度反転させて排紙トレイ１２に排出するための第４搬送路３４が設けられている。この第４搬送路３４は、第２搬送路３２の上部側に設けられている。そして、上述した排出ロール１９は、第２搬送路３２に搬入された原稿を第４搬送路３４に反転搬送する機能も有している。
【００１７】
一方、読み取り手段としての読み取り装置５０は、上述した原稿送り装置１０を開閉可能に支持すると共に、この原稿送り装置１０を装置フレーム５１によって支え、また、原稿送り装置１０によって搬送される原稿の画像読み取りを行っている。この読み取り装置５０は、筐体を形成する装置フレーム５１、画像を読み込むべき原稿を静止させた状態で置くことが可能な原稿台としての第１プラテンガラス５２Ａ、原稿送り装置１０によって搬送される原稿を読み取るための光の開口部を有する第２プラテンガラス５２Ｂを備えている。
【００１８】
また、読み取り装置５０は、フルレートキャリッジ５３およびハーフレートキャリッジ５４を備えている。フルレートキャリッジ５３は、第２プラテンガラス５２Ｂの下に静止し、あるいは第１プラテンガラス５２Ａの全体にわたってスキャンして画像を読み込む。ハーフレートキャリッジ５４は、フルレートキャリッジ５３が静止する場合には静止し、フルレートキャリッジ５３が移動する場合には連動して移動することで、フルレートキャリッジ５３にて得られた光を結像部へ供給する。フルレートキャリッジ５３には、光源５５および光源５５にて光照射がなされた原稿からの反射光を受光する第１ミラー５７Ａが設けられている。さらに、ハーフレートキャリッジ５４には、第１ミラー５７Ａから得られた光を結像部へ提供する第２ミラー５７Ｂおよび第３ミラー５７Ｃが設けられている。さらにまた、読み取り装置５０は、結像用レンズ５８およびＣＣＤ（Charge Coupled Device）イメージセンサ５９を備えている。これらのうち、結像用レンズ５８は、第３ミラー５７Ｃから得られた光学像を光学的に縮小する。また、ＣＣＤイメージセンサ５９は、結像用レンズ５８によって結像された光学像を光電変換する。つまり、読み取り装置５０では、所謂縮小光学系を用いてＣＣＤイメージセンサ５９に像を結像させている。
また、第１プラテンガラス５２Ａと第２プラテンガラス５２Ｂとの間に設けられる部材の下部には、主走査方向に沿って伸びる白基準板５６が装着されている。
【００１９】
そして、読み取り装置５０は、制御・画像処理ユニット６０をさらに備える。この制御・画像処理ユニット６０は、ＣＣＤイメージセンサ５９から入力される原稿の画像データに所定の処理を施す。また、制御・画像処理ユニット６０は、スキャナ２（原稿送り装置１０および読み取り装置５０）の読み取り動作における各部の動作を制御する。
【００２０】
一方、図１に示すプリンタ３は、例えば電子写真方式によって記録材としての用紙に画像形成を行う。なお、プリンタ３は用紙上に画像を形成する機能を有していればよく、電子写真方式以外にも、例えばインクジェット方式や静電記録方式などを採用することもできる。
【００２１】
ところで、本実施の形態に係る複写機１では、原稿の複写を実行しようとした場合に、この原稿を複写しようとするユーザが、この原稿に対する複写の権利（以下の説明では複製権という）を有しているか否かについての判断を行っている。そして、この複写機１では、ユーザが複製権を有している場合に、スキャナ２にて読み取った画像データの出力を許可する。画像データの出力が許可された場合、プリンタ３にてプリントアウトすなわち原稿の複写物の出力が行われる。一方、この複写機１では、ユーザが複製権を有してない場合に、スキャナ２にて読み取った画像データに基づく原稿の複製物の出力を禁止する。画像データの出力が禁止された場合、当然のことながら、プリンタ３におけるプリントアウト（原稿の複写物の出力）は行われない。
【００２２】
そして、本実施の形態では、このような機能を実現するために、スキャナ２にて原稿の画像を読み取る際に、各ユーザに付与されたＩＤカードの画像を一緒に読み取るようにしている。ここで、各原稿には各原稿固有の識別情報（文書ＩＤという）が付与されており、各ＩＤカードには各ユーザ固有の識別情報（カードＩＤという）が付与されている。そして、複写機１（スキャナ２）では、読み取って得られた文書ＩＤおよびカードＩＤから、複写を行おうとしているユーザがこの原稿の複製権を有しているか否かを判断し、プリンタ３に対する画像データの出力の可否を判断している。
【００２３】
図３（ａ）は、スキャナ２による読み取り対象となる原稿３００の一例を示している。原稿３００には、画像すなわち文書画像３０１が記録されている。そして、原稿３００には、ＭＩＧ（Micro Gradation）技術を用いた文書コード画像３０２が記録されている。この文書コード画像３０２は、例えば文書画像３０１中に埋め込むことも可能である。この文書コード画像３０２には、符号化された識別情報としての文書ＩＤが含まれている。
【００２４】
一方、図３（ｂ）は原稿３００とともにスキャナ２にて読み取りが行われるＩＤカード４００の一例を示している。媒体としてのＩＤカード４００には、ユーザの顔写真画像４０１、ユーザの所属や名前等からなる第１のテキスト画像４０２、例えばユーザの社員番号からなる第２のテキスト画像４０３が記録されている。そして、ＩＤカード４００には、上述した文書コード画像３０２と同様にＭＩＧ技術を用いたカードコード画像４０４が記録されている。このカードコード画像４０４は、例えば顔写真画像４０１、第１のテキスト画像４０２や第２のテキスト画像４０３中に埋め込むことも可能である。このカードコード画像４０４には、符号化された利用者情報としてのカードＩＤが含まれている。
【００２５】
図４は、図２に示す制御・画像処理ユニット６０のブロック図である。この制御・画像処理ユニット６０は、信号処理部７０および制御部９０を備えている。信号処理部７０は、ＣＣＤイメージセンサ５９から入力されてくる読み取りデータに処理を施す。一方、制御部９０は原稿送り装置１０および読み取り装置５０の動作を制御する。
【００２６】
制御部９０は、読み取りコントローラ９１、ＣＣＤドライバ９２、光源ドライバ９３、スキャンドライバ９４、および搬送機構ドライバ９５を備える。
読み取りコントローラ９１は、各種原稿読み取りの制御等を含め、図２に示す原稿送り装置１０および読み取り装置５０の全体を制御する。
ＣＣＤドライバ９２はＣＣＤイメージセンサ５９による画像データの取り込み動作を制御する。
光源ドライバ９３は、点灯信号を出力し、原稿の読み取りタイミングに合わせて光源５５の点灯・消灯を制御する。
スキャンドライバ９４は、読み取り装置５０におけるモータのオン/オフなどを行いフルレートキャリッジ５３およびハーフレートキャリッジ５４によるスキャン動作を制御する。
搬送機構ドライバ９５は、原稿送り装置１０におけるモータの制御、各種ロール、クラッチ、およびゲートの切り替え動作等を制御する。
【００２７】
これらの各種ドライバからは、原稿送り装置１０および読み取り装置５０に対して制御信号が出力され、かかる制御信号に基づいて、これらの動作制御が可能となる。読み取りコントローラ９１は、ホストシステムからの制御信号や、例えば自動選択読み取り機能に際して検出されるセンサ出力、ユーザからの選択等に基づいて、読み取りモードを設定し、原稿送り装置１０および読み取り装置５０を制御している。この読み取りモードとしては、第１プラテンガラス５２Ａ上に置かれた原稿を読み取る固定読み取りモード、第２プラテンガラス５２Ｂ上を搬送される原稿を読み取る搬送読み取りモード等が挙げられる。また、搬送読み取りモードにおいては、原稿の片面の画像を読み取る片面モード、原稿の両面の画像を読み取る両面モード等も挙げられる。
【００２８】
なお、搬送読み取りモードでは、スキャナ２が原稿３００の読み取りを行った場合、その読み取りデータから文書コード画像３０２の有無を判断している。そして、原稿３００の読み取りデータ中に文書コード画像３０２が存在すると判断された場合は、その読み取りデータの出力を禁止している。このため、本実施の形態では、スキャナ２で文書コード画像３０２が記録された原稿３００を読み取る場合は、原稿３００と一緒にＩＤカード４００を読み取ることが可能な固定読み取りモードでの読み取りが要求される。
【００２９】
図５は、図４に示す信号処理部７０のブロック図である。画像処理装置として機能する信号処理部７０は、スキャンデータ分離部７１、文書スキュー補正部７２、文書画像処理部７３、文書画像記憶部７４、文書マーク検出部７５、および文書ＩＤ抽出部７６を備える。また、信号処理部７０は、カードスキュー補正部７７、カードマーク検出部７８、カードＩＤ抽出部７９、文字認識部８０、および照合部８１をさらに備える。そして、信号処理部７０は、許可判定部８２、複製権情報格納部８３、およびデータ出力制御部８４をさらに備える。
【００３０】
分離手段として機能するスキャンデータ分離部７１は、ＣＣＤイメージセンサ５９が原稿３００およびＩＤカード４００を読み取ることによって得られたスキャンデータ（画像データに対応）を、原稿３００のスキャンデータである文書画像データ（原稿の画像データに対応）とＩＤカード４００のスキャンデータであるカード画像データ（媒体の画像データに対応）とに分離して出力する。そして、スキャンデータを分離して得られた文書画像データは文書スキュー補正部７２に、また、カード画像データはカードスキュー補正部７７に、それぞれ出力される。
【００３１】
第１のスキュー補正手段として機能する文書スキュー補正部７２は、スキャンデータ分離部７１から入力されてくる文書画像データにスキュー補正を施す。スキュー補正が施された文書画像データは、文書画像処理部７３および文書マーク検出部７５に、それぞれ出力される。
【００３２】
文書画像処理部７３は、文書スキュー補正部７２から入力されてくるスキュー補正済みの文書画像データに、各種画像処理を施す。この文書画像処理部７３で実行される画像処理としては、例えばシェーディング補正、γ/グレイバランス補正、色空間変換、拡大縮小、フィルタリング処理、コントラスト調整、さらには地肌除去等が挙げられる。
そして、記憶手段として機能する文書画像記憶部７４は、文書画像処理部７３にて各種画像処理が施された文書画像データを記憶する。
【００３３】
他方、文書マーク検出部７５は、文書スキュー補正部７２から入力されてくるスキュー補正済みの文書画像データからマークすなわち文書コード画像３０２（図３（ａ）参照）を検出する。
文書ＩＤ抽出部７６は、文書マーク検出部７５にて検出された文書コード画像３０２の内容を解析し、文書コード画像３０２に含まれる文書ＩＤを抽出する。そして、文書ＩＤ抽出部７６は、文書ＩＤを抽出できた場合には文書ＩＤ情報を、文書ＩＤを抽出できなかった場合には文書ＩＤ抽出不能情報を、許可判定部８２に出力する。
なお、本実施の形態では、これら文書マーク検出部７５や文書ＩＤ抽出部７６が第１の取得手段として機能している。
【００３４】
一方、第２のスキュー補正手段として機能するカードスキュー補正部７７は、スキャンデータ分離部７１から入力されてくるカード画像データにスキュー補正を施す。スキュー補正が施されたカード画像データは、カードマーク検出部７８および文字認識部８０に、それぞれ出力される。
【００３５】
カードマーク検出部７８は、カードスキュー補正部７７から入力されてくるスキュー補正済みのカード画像データからマークすなわちカードコード画像４０４（図３（ｂ）参照）を検出する。
カードＩＤ抽出部７９は、カードマーク検出部７８にて検出されたカードコード画像４０４の内容を解析し、カードコード画像４０４に含まれるカードＩＤを抽出する。そして、カードＩＤ抽出部７９は、カードＩＤを抽出できた場合にはカードＩＤ情報を照合部８１に出力し、カードＩＤを抽出できなかった場合にはカードＩＤ抽出不能情報を許可判定部８２に出力する。
【００３６】
他方、文字認識部８０は、カードスキュー補正部７７から入力されてくるスキュー補正済みのカード画像データにおけるテキスト画像（例えば図３（ｂ）に示す第１のテキスト画像４０２や第２のテキスト画像４０３）のデータにＯＣＲ（Optical Character Reader）処理を施し、得られた文字データを出力する。
照合部８１は、カードＩＤ抽出部７９から入力されてくる利用者情報の一つとしてのカードＩＤ情報と文字認識部８０から入力されてくる文字情報（文字データ）に基づいて得られた利用者情報の一つとしてのユーザデータとを照合する。そして、照合部８１は、照合結果が一致した場合にはカードＩＤ情報を、照合結果が一致しなかった場合には照合不一致情報を許可判定部８２に出力する。
なお、本実施の形態では、これらカードマーク検出部７８、カードＩＤ抽出部７９、文字認識部８０、および照合部８１が第２の取得手段として機能している。
【００３７】
判定手段あるいは判断部として機能する許可判定部８２は、文書ＩＤ抽出部７６から入力されてくる文書ＩＤ情報と照合部８１から入力されてくるカードＩＤ情報とを対応付けて複製権情報格納部８３に問い合わせを行う。また、許可判定部８２は、複製権情報格納部８３から送られてくる複製権の問い合わせ結果および照合部８１から入力される照合結果に基づき、文書画像記憶部７４に記憶される画像処理済みの文書画像データの出力を許可するか否かを判定する。なお、複製権情報格納部８３に格納されるデータベースの内容については後述する。
また、許可判定部８２は、文書ＩＤ抽出部７６から文書ＩＤ抽出不能情報が入力された場合、カードＩＤ抽出部７９からカードＩＤ抽出不能情報が入力された場合、および、照合部８１から照合不一致情報が入力された場合に、文書画像記憶部７４に記憶される画像処理済みの文書画像データの出力を許可しないと判定する。
【００３８】
禁止手段、許可手段、および出力制御手段として機能するデータ出力制御部８４は、許可判定部８２による判定結果に基づき、文書画像記憶部７４に格納される文書画像データの出力を制御する。例えば、許可判定部８２にて許可の判定があった場合には、文書画像記憶部７４に記憶される文書画像データをプリンタ３に出力させた後、文書画像記憶部７４の記憶内容を消去する。一方、許可判定部８２にて許可の判定がなかった場合（不許可の判定があった場合）には、文書画像データをプリンタ３に出力させることなく、そのまま文書画像記憶部７４の記憶内容を消去する。
【００３９】
なお、信号処理部７０を構成する各部の機能は、ソフトウェアとハードウェア資源とが協働することにより実現される。すなわち、信号処理部７０に設けられた図示しないＣＰＵ(Central Processing Unit)が、スキャンデータ分離部７１、文書スキュー補正部７２、文書画像処理部７３、文書画像記憶部７４、文書マーク検出部７５、文書ＩＤ抽出部７６、カードスキュー補正部７７、カードマーク検出部７８、カードＩＤ抽出部７９、文字認識部８０、照合部８１、許可判定部８２、複製権情報格納部８３、およびデータ出力制御部８４の各機能を実現するプログラムを、例えばハードディスク等の外部記憶装置からメインメモリに読み込んで、これらの各機能を実現する。
【００４０】
図６は、図５に示す複製権情報格納部８３に登録されるデータベースの構成例を示す図である。図６に示すデータ構造では、文書ＩＤおよびカードＩＤといった項目分けがなされ、複製権に対するこれらの対応関係が管理されている。より具体的に説明すると、例えば「０００００００１」という文書ＩＤを持つ原稿３００の場合、カードＩＤがＡ、Ｂ、Ｃ、Ｄ、Ｅであるユーザは複製権を有するものの、カードＩＤがＦであるユーザは複製権を有していない。また、例えば「０００００００２」という文書ＩＤを持つ原稿３００の場合、カードＩＤがＡ、Ｂであるユーザは複製権を有するものの、カードＩＤがＣ、Ｄ、Ｅ、Ｆであるユーザは複製権を有していない。
また、逆に見れば、例えばカードＩＤがＡであるユーザは、文書ＩＤ「０００００００１」〜「０００００００５」の原稿３００に対して複製権を有していると見なすこともできる。他方、例えばカードＩＤがＢであるユーザは、文書ＩＤ「０００００００１」、「０００００００２」、「０００００００４」、「０００００００５」の原稿３００に対しては複製権を有するものの、文書ＩＤ「０００００００３」の原稿３００に対しては複製権を有していないことになる。
【００４１】
このような複製権情報は、原稿３００を出力した後、この原稿３００に対して付与された文書ＩＤに対応付けて登録することができる。また、必要に応じて、後で複製権の有無を変更することも可能である。
なお、本実施の形態では、スキャナ２の信号処理部７０に複製権情報格納部８３を内蔵させているが、これに限られるものではない。例えばプリンタ３に複製権情報格納部８３を内蔵させてもよいし、複写機１（スキャナ２やプリンタ３）とは別のサーバに複製権情報格納部８３としての機能を担わせるようにしてもよい。
【００４２】
では次に、より具体的な複写動作（読み取り動作およびプリント動作）について説明する。
図７はスキャナ２に原稿３００およびＩＤカード４００をセットした状態を示している。このとき、スキャナ２では原稿送り装置１０が読み取り装置５０の奥側を支点として上方に引き上げられ、露出した第１プラテンガラス５２Ａ上に、原稿３００およびＩＤカード４００が並べて配置される。なお、この例では、原稿３００が第２プラテンガラス５２Ｂに近い側に、ＩＤカード４００が第２プラテンガラス５２Ｂから遠い側に、それぞれ配置される。その後、原稿送り装置１０が引き下げられて読み取り装置５０上に置かれ、原稿３００およびＩＤカード４００は、原稿送り装置１０に設けられた裏当て部材２０により第１プラテンガラス５２Ａに押し付けられる。
【００４３】
次に、ＵＩ４等を介して複写動作開始の指示が受け付けられると、図２に示すフルレートキャリッジ５３とハーフレートキャリッジ５４とが、２：１の割合でスキャン方向（矢印方向）に移動する。このとき、フルレートキャリッジ５３の光源５５が点灯し、これらからの光が第１プラテンガラス５２Ａを介して原稿３００の被読み取り面に照射される。そして、原稿３００からの反射光が第１ミラー５７Ａ、第２ミラー５７Ｂ、および第３ミラー５７Ｃの順に反射されて結像用レンズ５８に導かれる。結像用レンズ５８に導かれた光は、ＣＣＤイメージセンサ５９の受光面に結像される。ＣＣＤイメージセンサ５９は１次元のセンサで構成されており、１ライン分を同時に処理している。このライン方向（スキャンの副走査方向）にフルレートキャリッジ５３およびハーフレートキャリッジ５４を移動させ、原稿３００の次のラインを読み取る。これを原稿３００全体に亘って実行することで、原稿３００の読み取りが完了する。
また、原稿３００の読み取りが完了した後、一連の動作にてＩＤカード４００の読み取りが開始される。そして、これをＩＤカード４００全体に亘って実行することで、ＩＤカード４００の読み取りが完了する。
このとき、ＣＣＤイメージセンサ５９による原稿３００の読み取り結果およびＩＤカード４００の読み取り結果は、１つのスキャンデータとして出力されていくことになる。
【００４４】
では、このようにして得られた原稿３００およびＩＤカード４００のスキャンデータに対し、信号処理部７０にて実行される処理について、図５に示すブロック図および図８に示すフローチャートを参照しつつ説明する。
【００４５】
まず、スキャンデータ分離部７１は、ＣＣＤイメージセンサ５９から入力されてくる原稿３００およびＩＤカード４００のスキャンデータを、原稿３００のスキャンデータである文書画像データとＩＤカード４００のスキャンデータであるカード画像データとに分離する（ステップ１０１）。次に、文書スキュー補正部７２は、入力されてくる文書画像データにスキュー補正を施す（ステップ１０２）。そして、文書画像処理部７３は、スキュー補正がなされた文書画像データに各種画像処理（文書画像処理）を施し（ステップ１０３）、画像処理後の文書画像データを文書画像記憶部７４に記憶させる（ステップ１０４）。
【００４６】
また、文書マーク検出部７５は、スキュー補正がなされた文書画像データから文書コード画像を検出する（ステップ１０５）。そして、文書ＩＤ抽出部７６は、検出された文書コード画像から文書ＩＤの抽出を試み、文書ＩＤの抽出が行えたか否かを判断する（ステップ１０６）。ここで、文書ＩＤが抽出できなかったと判断した場合は、後述するステップ１１５に進む。
【００４７】
一方、文書ＩＤが抽出できた場合は、次に、カードスキュー補正部７７が、入力されてくるカード画像データにスキュー補正を施す（ステップ１０７）。次いで、カードマーク検出部７８は、スキュー補正がなされたカード画像データからカードコード画像４０４を検出する（ステップ１０８）。そして、カードＩＤ抽出部７９は、検出されたカードコード画像４０４からカードＩＤの抽出を試み、カードＩＤの抽出が行えたか否かを判断する（ステップ１０９）。ここで、カードＩＤが抽出できなかったと判断した場合は、後述するステップ１１５に進む。
【００４８】
また、カードＩＤが抽出できた場合は、文字認識部８０が、スキュー補正がなされたカード画像データに対して文字認識処理を施し、文字情報を取得する（ステップ１１０）。そして、照合部８１は、文字情報を解析して得られたユーザデータ（例えば社員番号や名前）と抽出されたカードＩＤ情報とを照合し、照合結果が一致しているか否かを判断する（ステップ１１１）。ここで、照合結果が一致していない（偽造されたＩＤカード４００が使用されている）と判断した場合は、後述するステップ１１５に進む。
【００４９】
他方、照合結果が一致していた場合、許可判定部８２は、文書ＩＤ抽出部７６から入力されてくる文書ＩＤ情報と照合部８１から入力されてくるカードＩＤ情報とを対応付けて複製権情報格納部８３に出力し、複製権の有無の問い合わせを行う（ステップ１１２）。複製権情報格納部８３では、入力されてくる文書ＩＤ情報およびカードＩＤ情報を用いて図６に示すデータベースを参照し、複製権の有無に関する複製権情報を許可判定部８２に出力する。そして、許可判定部８２は、複製権情報格納部８３から入力されてくる複製権情報に基づき、複製権の有無を判断する（ステップ１１３）。ここで、複製権がないと判断した場合は、後述するステップ１１５に進む。
【００５０】
また、複製権があると判断した場合、許可判定部８２は、データ出力制御部８４に制御信号を出力し、データ出力制御部８４は、文書画像記憶部７４に記憶されている画像処理済みの文書画像データをプリンタ３に向けて出力させる（ステップ１１４）。その後、許可判定部８２は、データ出力制御部８４にさらに制御信号を出力し、データ出力制御部８４は、文書画像記憶部７４の記憶内容すなわち文書画像データを消去させ（ステップ１１５）、一連の処理を完了する。
【００５１】
なお、上記ステップ１０６で文書ＩＤが抽出できなかった場合、上記ステップ１０９でカードＩＤが抽出できなかった場合、上記ステップ１１１でユーザデータとカードＩＤ情報との照合結果が一致していなかった場合、および、上記ステップ１１３で複製権がないと判断した場合は、そのままこのステップ１１５の処理が行われる。すなわち、許可判定部８２は、データ出力制御部８４に制御信号を出力し、データ出力制御部８４は、文書画像記憶部７４の記憶内容すなわち文書画像データを消去させる。つまり、文書画像記憶部７４に記憶される文書画像データをプリンタ３に出力することなく、そのまま消去されることになる。
【００５２】
そして、上記ステップ１１４においてプリンタ３に文書画像データが出力された場合は、プリンタ３がこの文書画像データに基づく画像形成動作を行う。その結果、用紙上に原稿３００と同様の画像を記録した複写物が出力される。一方、プリンタ３に文書画像データが出力されない場合は、プリンタ３において画像形成動作が行われることはなく、この文書画像データに基づく複写物がプリントアウトされることもない。
【００５３】
ここで、本実施の形態では、スキャンデータ分離部７１にて分離された文書画像データおよびカード画像データに、それぞれ、独立したスキュー補正がなされる。これは次の理由による。
図９は、第１プラテンガラス５２Ａに置かれた原稿３００およびＩＤカード４００の一例を示す図である。本実施の形態では、読み取りに際して原稿３００およびＩＤカード４００それぞれが第１プラテンガラス５２Ａに置かれることになるため、図に示すように第１プラテンガラス５２Ａ上での原稿３００およびＩＤカード４００の傾きが異なることが生じ得る。このため、これら原稿３００およびＩＤカード４００の読み取り結果であるスキャンデータを一律にスキュー補正を施した場合には、一方（例えば原稿３００）のスキューを補正できたとしても、他方（この場合にはＩＤカード４００）のスキューは補正できないことになってしまう。そこで、本実施の形態では、スキャンデータを文書画像データとコード画像データとに分離した後、これら文書画像データおよびコード画像データのそれぞれに対してスキュー補正を施すことで、原稿３００のスキューおよびＩＤカード４００のスキューを、ともに補正できるようにしている。
【００５４】
また、図５に示す文書スキュー補正部７２では、例えば、文書画像データのスキュー角度を計算し、得られたスキュー角度が予め決められた閾値よりも大きかった場合すなわち傾きが大きかった場合に、文書画像データに対するスキュー補正を行うことができる。一方、カードスキュー補正部７７でも、カード画像データのスキュー角度を計算し、得られたスキュー角度が予め決められた閾値よりも大きかった場合に、カード画像データに対するスキュー補正を行うことができる。
【００５５】
＜実施の形態２＞
本実施の形態は、実施の形態１と略同様であるが、カードＩＤを暗号化して得られたカードコード画像４０４（図３（ｂ）参照）を備えたＩＤカード４００を使用するようにしたものである。なお、本実施の形態において、実施の形態１と同様にものについては、同じ符号を付してその詳細な説明を省略する。また、本実施の形態において、カードＩＤの暗号化は、例えばユーザ毎に設定されたパスワードあるいはＰＩＮ（Personal Identification Number）を用いて行われる。
【００５６】
図１０は、本実施の形態における信号処理部７０のブロック図である。この信号処理部７０の基本構成は実施の形態１と同様であるが、カードＩＤ抽出部７９では、ＵＩ４を介して入力が受け付けられたパスワードあるいはＰＩＮを用いて、カードマーク検出部７８にて検出されたカードコード画像４０４を復号化し、カードＩＤの抽出を行っている。なお、パスワードあるいはＰＩＮ以外に、例えば指紋認証や顔認証などを利用することもできる。
【００５７】
本実施の形態では、ＵＩ４を介して入力されたパスワードあるいはＰＩＮを用いてカードＩＤを復号化（抽出）できた場合に、許可判定部８２が文書画像データの出力を許可することになる。そして、例えば盗難にあったＩＤカード４００を悪用して複写を行おうとした場合であっても、パスワードあるいはＰＩＮの内容がわからない限り、許可判定部８２において文書画像データの出力が許可されるという事態は生じ得ない。このため、原稿３００の複写が行われることはなく、より安全性が高まる。
【００５８】
＜実施の形態３＞
本実施の形態は、実施の形態１と略同様であるが、ＩＤカード４００として小型集積回路（ＩＣ）を内蔵した所謂ＩＣカードを利用するようにしたものである。なお、本実施の形態において、実施の形態１と同様のものについては、同じ符号を付してその詳細な説明を省略する。
【００５９】
図１１は、本実施の形態で用いられるスキャナ２の構成例を示している。このスキャナ２の構成は、実施の形態１で説明したものと基本的に同じであるが、読み取り装置５０内にカードリーダ１００を内蔵している点が異なる。
また、図１２は、本実施の形態で用いられるＩＤカード４００を示している。このＩＤカード４００の構成は実施の形態１と基本的に同じであるが、ＩＣチップ４０５を内蔵している点が異なる。
特に、本実施の形態では、ＩＤカード４００が所謂非接触型のＩＣカードにて構成されており、カードリーダ１００は、ＩＤカード４００が第１プラテンガラス５２Ａに置かれた状態で、ＩＤカード４００（ＩＣチップ４０５）に接触することなくＩＣチップ４０５に格納される各種情報（例えばカードＩＤなど）を読み取ることができる。
【００６０】
図１３は、本実施の形態における信号処理部７０のブロック図である。この信号処理部７０の基本構成は実施の形態１と同様であるが、カードリーダ１００にてＩＣチップ４０５を読み取ることによって得られた各種情報を解析する解析部８５をさらに備えている点が異なる。また、照合部８１が、カードＩＤ抽出部７９から入力されるカードＩＤ情報、文字認識部８０から入力される文字情報、および上記解析部８５にて得られた他の利用者情報としての解析結果を用いて照合を行っている点も異なる。
【００６１】
本実施の形態では、ＩＤカード４００として所謂ＩＣカードを利用することにより、ＩＤカード４００に装着されたＩＣチップ４０５に各種情報を格納しておくことが可能になる。また、このＩＣチップ４０５に格納される各種情報を用いた照合を行うことで、複製権の有無についての判定精度がより高まる。
【００６２】
なお、実施の形態１〜３では、原稿３００とともにＩＤカード４００の画像を読み取る例について説明を行ったが、これに限られるものではない。すなわち、利用者情報を表示可能な媒体であればよく、例えば、表示画面を備えた携帯電話や、小型のディスプレイを備えた携帯デバイス（例えばゲーム機）等を利用することも考えられる。
【００６３】
また、実施の形態１〜３では、複写動作について説明を行ったが、例えばスキャナ２による読み取り画像データをパーソナルコンピュータ等に転送するスキャンイン動作においても、同様に適用し得る。
【図面の簡単な説明】
【００６４】
【図１】実施の形態が適用される複写機の構成を示す図である。
【図２】実施の形態１におけるスキャナの構成例を示す図である。
【図３】（ａ）は読み取り対象となる原稿の一例を示す図であり、（ｂ）は原稿とともに読み取られるＩＤカードの一例を示す図である。
【図４】スキャナにおける制御・画像処理ユニットのブロック図である。
【図５】実施の形態１における信号処理部のブロック図である。
【図６】複製権情報格納部に登録されるデータベースの構成例を示す図である。
【図７】スキャナに対する原稿及びＩＤカードのセットを説明するための図である。
【図８】原稿およびＩＤカードのスキャンデータに対する処理の流れを説明するフローチャートである。
【図９】第１プラテンガラスに対する原稿及びＩＤカードの配置例を示す図である。
【図１０】実施の形態２における信号処理部のブロック図である。
【図１１】実施の形態３におけるスキャナの構成例を示す図である。
【図１２】実施の形態３で用いられるＩＤカードの構成例を示す図である。
【図１３】実施の形態３における信号処理部のブロック図である。
【符号の説明】
【００６５】
１…複写機、２…スキャナ、３…プリンタ、４…ユーザインタフェース（ＵＩ）、１０…原稿送り装置、５０…読み取り装置、５９…ＣＣＤイメージセンサ、６０…制御・画像処理ユニット、７０…信号処理部、７１…スキャンデータ分離部、７２…文書スキュー補正部、７３…文書画像処理部、７４…文書画像記憶部、７５…文書マーク検出部、７６…文書ＩＤ抽出部、７７…カードスキュー補正部、７８…カードマーク検出部、７９…カードＩＤ抽出部、８０…文字認識部、８１…照合部、８２…許可判定部、８３…複製権情報格納部、８４…データ出力制御部、８５…解析部、９０…制御部、１００…カードリーダ、３００…原稿、３０２…文書コード画像、４００…ＩＤカード、４０４…カードコード画像、４０５…ＩＣチップ
【図１】
2008060701.tif 000003
【図２】
2008060701.tif 000004
【図３】
2008060701.tif 000005
【図４】
2008060701.tif 000006
【図５】
2008060701.tif 000007
【図６】
2008060701.tif 000008
【図７】
2008060701.tif 000009
【図８】
2008060701.tif 000010
【図９】
2008060701.tif 000011
【図１０】
2008060701.tif 000012
【図１１】
2008060701.tif 000013
【図１２】
2008060701.tif 000014
【図１３】
2008060701.tif 000015